(57)【要約】【課題】携帯端末などに備える撮像装置において、操作釦類を増やすことなく光学ズームや電子ズームを可能とし、それによって携帯端末を小型に、安価に提供できるようにすること。【解決手段】被写体像を電気信号に変換する撮像素子と、該撮像素子へ被写体像を結像させる撮影光学系内の変倍光学系を、撮影光学系の光軸を軸とした回動操作部材による回動操作によって光軸方向に移動させて撮影倍率を変更するズーム機構と、前記回動操作部材の回動位置を検知する検知手段とを備え、前記撮像装置は、撮像時における前記検知手段からの位置情報を、前記変倍光学系の倍率検出制御、または電子的なズームの倍率制御のための信号とするようにした。【選択図】      図４
2005107290.tif 000002
【特許請求の範囲】
【請求項１】
撮影光学系の結像位置に配置された撮像素子と、
前記撮影光学系の光軸方向に移動可能な変倍光学系と、
前記光軸を軸として回動し、前記変倍光学系を移動させる回動操作部材とを有し、
該回動操作部材の回動操作で変倍をおこなわせるようにしたことを特徴とする撮像装置。
【請求項２】
撮影光学系の結像位置に配置された撮像素子と、
前記撮影光学系の光軸方向に移動可能な変倍光学系と、
撮像画像の所定部分を電子的に拡大する電子ズーム手段と、
前記光軸を軸として回動し、前記変倍光学系を移動させると共に電子ズームのズーム倍率設定を行う回動操作部材とを有し、
該回動操作部材の回動操作で光学ズームと電子ズーム両者の操作をおこなわせるようにしたことを特徴とする撮像装置。
【請求項３】
前記撮像装置は、前記回動操作部材の回動に伴って前記変倍光学系を光軸方向に移動させるカム機構と前記回動操作部材の回動検出手段とを有し、前記カム機構は、前記変倍光学系がズーム端に達した後は前記変倍光学系の移動を停止させるよう構成されていると共に前記回動操作部材は、前記変倍光学系の移動が停止した後の回動により、前記回動検出手段による検出信号に対応した倍率の電子ズームを行わせるよう構成したことを特徴とする請求項２に記載した撮像装置。
【請求項４】
前記撮像装置は、前記回動操作部材の回動に伴って前記変倍光学系を光軸方向に移動させるカム機構と前記回動操作部材の回動検出手段とを有し、前記カム機構は、複数の中間点に、前記変倍光学系の移動を前記回動操作部材の一定回動量の間停止させる部分が設けられ、前記回動操作部材を回動させることで光学ズームを行うと共に変倍光学系の移動を一定回動量停止させた際、前記回動検出手段による検出信号に対応した倍率の電子ズームを行わせるよう構成したことを特徴とする請求項２に記載した撮像装置。
【請求項５】
撮影光学系の結像位置に配置された撮像素子と、
前記撮影光学系の光軸方向に移動可能な変倍光学系と、
撮像画像の所定部分を電子的に拡大する電子ズーム手段と、
前記光軸を軸として回動し、前記変倍光学系を移動させると共に電子ズームのズーム倍率設定を行う回動操作部材とを有し、
該回動操作部材の回動操作で光学ズームと電子ズーム両者の操作をおこなわせるようにした撮像装置を有することを特徴とする携帯端末。
【請求項６】
前記撮像装置は、前記回動操作部材の回動に伴って前記変倍光学系を光軸方向に移動させるカム機構と前記回動操作部材の回動検出手段とを有し、前記カム機構は、前記変倍光学系がズーム端に達した後は前記変倍光学系の移動を停止させるよう構成されていると共に前記回動操作部材は、前記変倍光学系の移動が停止した後の回動により、前記回動検出手段による検出信号に対応した倍率の電子ズームを行わせるよう構成したことを特徴とする請求項５に記載した携帯端末。
【請求項７】
前記撮像装置は、前記回動操作部材の回動に伴って前記変倍光学系を光軸方向に移動させるカム機構と前記回動操作部材の回動検出手段とを有し、前記カム機構は、複数の中間点に、前記変倍光学系の移動を前記回動操作部材の一定回動量の間停止させる部分が設けられ、前記回動操作部材を回動させることで光学ズームを行うと共に変倍光学系の移動を一定回動量停止させた際、前記回動検出手段による検出信号に対応した倍率の電子ズームを行わせるよう構成したことを特徴とする請求項５に記載した携帯端末。
【請求項８】
前記回動操作部材は、撮像装置を収容した筐体の側面近傍に設けたことを特徴とする請求項５乃至７のいずれかに記載した携帯端末。
【請求項９】
前記回動操作部材の一部を、前記撮像装置を収容した筐体から露出したことを特徴とする請求項５乃至８のいずれかに記載した携帯端末。
【発明の詳細な説明】
【技術分野】
【０００１】
本発明は、携帯電話やデジタルカメラに用いられ、ズームレンズからなる撮影光学系で被写体像を撮像素子に結像し、電気信号に変換するようにした撮像装置に関し、特に、光学ズームと電子ズームを特別な操作釦なしで実現できるようにした撮像装置と撮像装置を備えた携帯端末に関するものである。
【背景技術】
【０００２】
撮影光学系によって撮像素子上に被写体像を結像させ、電気信号に変換してデジタル的に撮像する撮像装置は、カメラ付き携帯電話やデジタルカメラ、さらに小型携帯情報端末（ＰＤＡ：Ｐｅｒｓｏｎａｌ  Ｄｉｇｉｔａｌ  Ａｓｓｉｓｔａｎｔｓ）やパソコンなど、種々の携帯端末に組み込まれ、最近では、撮影光学系をズームレンズとしたものも多くなっている。そしてこのズームレンズも、光学的なズームだけでなく、撮像画面の切り出す大きさを変化させて電子的に拡大する電子ズーム機能を備えたものも増えている。
【０００３】
また、こういった撮像装置を備えた携帯端末には、こういった静止画の撮影機能以外に、動画の撮影機能やこれらの再生機能、音楽プレイヤー機能、アドレス帳やスケジュール表の閲覧機能など、種々の機能を備えたものもある。そして、このような小型携帯端末は、小型に構成することによって必然的に操作釦類を配置するスペースが少なくなるが、それにもかかわらず、機能自体が増加の傾向にあるため、それらの機能を制御するための操作釦類も必然的に増加する傾向にある。
【０００４】
しかも、前記したように撮像装置に光学ズームだけでなく、電子ズームを組み込んだ場合はそれぞれの操作釦が必要であり、それらを配置するスペースが必要であると共に、各機能に対応した操作釦類を設けるということはそれだけ部品点数が増え、価格を上昇させてしまう。
【０００５】
こういったことに対処するため、例えば特許文献１には、表示装置に対してレンズを回動可能としたデジタルカメラにおいて、自分撮影のためにレンズを自分の方に向けたとき、自動的に焦点が近距離になるようにして、焦点距離の調節をレンズの回動に連動させたカメラが示されており、このようにレンズの回動機構に焦点の変更機能を持たせることで、操作釦の数を減らすことができる。
【０００６】
【特許文献１】特開２００３−５０１７公報
【発明の開示】
【発明が解決しようとする課題】
【０００７】
しかしながらこの特許文献１に示されたカメラは、単に自分撮影の際の焦点が近距離になるようにしているだけであり、前記したような撮像装置における光学ズームや電子ズーム、そしてそれらの切り替えなどをおこなう操作釦を少なくする、といったことについては何ら示されていない。
【０００８】
そのため本発明においては、光学ズームや電子ズームを備えると共に、それらを切り替えて使用できるようにした撮像装置において、その撮像装置を組み込んだ携帯端末の操作釦類を少なくし、かつ、ズームの操作も簡単におこなえるようにして、携帯端末を小型に、安価に構成できるようにした撮像装置を提供することが課題である。
【課題を解決するための手段】
【０００９】
上記課題を解決するため、本発明における撮像装置は、
撮影光学系の結像位置に配置された撮像素子と、前記撮影光学系の光軸方向に移動可能な変倍光学系と、前記光軸を軸として回動し、前記変倍光学系を移動させる回動操作部材とを有し、該回動操作部材の回動操作で変倍をおこなわせるようにしたことを特徴とする。
【００１０】
また、本発明の撮像装置は、
撮影光学系の結像位置に配置された撮像素子と、前記撮影光学系の光軸方向に移動可能な変倍光学系と、撮像画像の所定部分を電子的に拡大する電子ズーム手段と、前記光軸を軸として回動し、前記変倍光学系を移動させると共に電子ズームのズーム倍率設定を行う回動操作部材とを有し、該回動操作部材の回動操作で光学ズームと電子ズーム両者の操作をおこなわせるようにしたことを特徴とする。
【００１１】
そして前記撮像装置は、前記回動操作部材の回動に伴って前記変倍光学系を光軸方向に移動させるカム機構と前記回動操作部材の回動検出手段とを有し、前記カム機構は、前記変倍光学系がズーム端に達した後は前記変倍光学系の移動を停止させるよう構成されていると共に前記回動操作部材は、前記変倍光学系の移動が停止した後の回動により、前記回動検出手段による検出信号に対応した倍率の電子ズームを行わせるよう構成してある。
【００１２】
また前記撮像装置は、前記回動操作部材の回動に伴って前記変倍光学系を光軸方向に移動させるカム機構と前記回動操作部材の回動検出手段とを有し、前記カム機構は、複数の中間点に、前記変倍光学系の移動を前記回動操作部材の一定回動量の間停止させる部分が設けられ、前記回動操作部材を回動させることで光学ズームを行うと共に変倍光学系の移動を一定回動量停止させた際、前記回動検出手段による検出信号に対応した倍率の電子ズームを行わせるよう構成してある。
【００１３】
そして本発明の携帯端末は、
撮影光学系の結像位置に配置された撮像素子と、前記撮影光学系の光軸方向に移動可能な変倍光学系と、撮像画像の所定部分を電子的に拡大する電子ズーム手段と、前記光軸を軸として回動し、前記変倍光学系を移動させると共に電子ズームのズーム倍率設定を行う回動操作部材とを有し、該回動操作部材の回動操作で光学ズームと電子ズーム両者の操作をおこなわせるようにした撮像装置を有することを特徴とする。
【００１４】
そして、この携帯端末における前記撮像装置は、前記回動操作部材の回動に伴って前記変倍光学系を光軸方向に移動させるカム機構と前記回動操作部材の回動検出手段とを有し、前記カム機構は、前記変倍光学系がズーム端に達した後は前記変倍光学系の移動を停止させるよう構成されていると共に前記回動操作部材は、前記変倍光学系の移動が停止した後の回動により、前記回動検出手段による検出信号に対応した倍率の電子ズームを行わせるよう構成してある。
【００１５】
また、この携帯端末における前記撮像装置は、前記回動操作部材の回動に伴って前記変倍光学系を光軸方向に移動させるカム機構と前記回動操作部材の回動検出手段とを有し、前記カム機構は、複数の中間点に、前記変倍光学系の移動を前記回動操作部材の一定回動量の間停止させる部分が設けられ、前記回動操作部材を回動させることで光学ズームを行うと共に変倍光学系の移動を一定回動量停止させた際、前記回動検出手段による検出信号に対応した倍率の電子ズームを行わせるよう構成してある。
【００１６】
そして前記回動操作部材は、撮像装置を収容した筐体の側面近傍に設けてある。
【００１７】
また本発明では、前記回動操作部材の一部を、前記撮像装置を収容した筐体から露出させている。
【発明の効果】
【００１８】
このように、撮影光学系の結像位置に配置された撮像素子と、前記撮影光学系における変倍光学系の光軸方向への移動で撮影倍率を変更する光学ズーム機構と、前記撮影光学系の光軸を軸として回動し、前記変倍光学系を光軸方向に移動させる回動操作部材とを有し、該回動操作部材の回動操作で変倍をおこなわせるようにしたことにより、小型化可能な撮像装置を提供することができる。
【発明を実施するための最良の形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２０】
図１は、本発明の撮像装置を携帯端末としての携帯電話に応用した一例の概略外観図、図２は撮影光学系の光軸を軸として携帯端末の筐体から一部を露出した回動操作部材を示した図、図３はズームレンズを用いた撮影光学系を繰り出した状態の外観図、図４は回動操作部材の回動によるズームレンズの変倍光学系の光軸方向移動を説明するための図で、（Ａ）〜（Ｄ）は変倍光学系の移動状況を示した図、（Ｅ）は回動操作部材に設けた回転位置検出のための機構の説明図、（Ｆ）は変倍用カム溝とそのカム溝による変倍倍率を説明するための図、図５は本発明になる携帯端末における撮像装置と周辺の制御回路ブロック図、図６は回転位置検出のための回路の一例で、（Ａ）は位置を示す信号が「１」、「０」として出力される場合、（Ｂ）は位置を示す信号が電圧として出力される場合、図７はズーム用カム溝の他の実施例である。
【００２１】
図中１は本発明になる撮像装置を装備した携帯端末の一例としての携帯電話、２は携帯端末の筐体で、２１は表示部筐体、２２は操作部筐体、３は撮像装置、４は液晶（ＬＣＤ）などを用いた表示装置、５は数字やアルファベット、その他の機能の指示などに使う操作キー（釦）、３０は撮像装置３の撮影光学系（レンズ）、３１は撮影光学系３０の光軸を軸とし、筐体２から一部が露出した回動操作部材（ダイヤル）、３２、３３は撮影光学系３０を構成する変倍用レンズ（光学系）、３４、３５は回動操作部材３１の内側に設けられたカム溝、３６、３７は変倍用レンズ３２、３３の鏡筒、３８、３９は鏡筒３６、３７に設けられ、回動操作部材３１の内側に設けられたカム溝３４、３５に係合して変倍用レンズ３２、３３を光軸方向に移動させて変倍を行うためのカムピン、４０はシャッター、４１は回動検出用パターンＰＯＳ１〜ＰＯＳ１２と撮像素子４２を配した基板、４３は回動操作部材３１に設けられ、回動検出用パターンＰＯＳ１〜ＰＯＳ１２を摺擦して回動位置を検出するための接触用ブラシ、４４は変倍用レンズ３２、３３を収納したＯＦＦ位置、４５は変倍用レンズ３２、３３の広角（ＷＩＤＥ）端、４６は同じく変倍用レンズ３２、３３の望遠（ＴＥＬＥ）端、５１は撮像素子４２からの信号を受けて映像信号として送り出す撮像回路、５２は撮像回路５１からの信号を受けてデータ圧縮などをおこなう信号処理回路、５３は信号処理のための一時記憶などを行うためのメモリ、５４は信号処理回路５２によって撮影した画像の一部を取り出す電子ズーム処理を指示する電子ズーム回路、５５は信号処理回路５２が処理した画像データを記憶する外部記憶装置、５６は外部記憶装置５５に記憶した画像を再生して表示装置４（図１）に表示させる画像再生装置、５７は制御用ＣＰＵ、５８は前記図４（Ｅ）に示した回動検出用パターンやブラシ、図６に示したような回路などで構成される回動検出装置、５９は撮像と撮像以外の複数の機能を切り替えるためのモード切替スイッチ、６０はシャッター釦である。
【００２２】
本発明になる撮像装置３を装備した携帯端末１は、図１に一例として携帯電話に応用した場合を示したように、その筐体２の一部に撮像装置３が配され、メールやアドレスなどを見るための表示装置４、電話番号や文字を入力するためのキー５などが設けられて、使わないときは表示部筐体２１と操作部筐体２２が閉じられ、使うときに図１に示したように開かれるようになっている。なお、この携帯端末はあくまでも一例であり、表示部４とキー５を配した操作部を直線状に並べて開閉は行わない形式のものや、多数のキーなどが設けられたもの、あるいは前記したようにデジタルカメラや小型携帯情報端末、さらにパソコンなどであっても良いことは自明である。
【００２３】
そしてこのうち撮像装置３は、図２に示したように、撮像装置３の撮影光学系（レンズ）３０の光軸を軸とし、筐体２の側面近傍から一部が露出した回動操作部材（ダイヤル）３１が設けられ、この回動操作部材３１を回すことによって、図３に示したように、レンズ３０が光軸方向に突出し、ズーミングがおこなえるようになっている。
【００２４】
すなわち撮像装置３は、図４（Ａ）に示したように、変倍用レンズ３２、３３を有し、回動操作部材３１の内側には、図４（Ｆ）に３４、３５で示したようなカム溝が設けられている。このカム溝３４、３５は、望遠端４６から４７の間は変倍用レンズ３２、３３を移動させず、ブラシ４３のみを回動させるようになっている。また、変倍用レンズ３２、３３は、それぞれ鏡筒３６、３７に収容され、その鏡筒３６、３７には、前記回動操作部材３１の内側に設けられたカム溝３４、３５に係合して変倍用レンズ３２、３３を光軸方向に移動させ、変倍を行うためのカムピン３８、３９が設けられている。そしてこれら変倍用レンズ３２、３３によって変倍された被写体像は、シャッター４０を通過し、基板４１上に配置されたＣＣＤなどを用いた撮像素子４２で撮像される。
【００２５】
またこの基板４１には、図４（Ｅ）に示したように、回動操作部材３１の回動位置を検出するための回動検出用パターンＰＯＳ１〜ＰＯＳ１２が設けられ、回動操作部材３１に設けられた接触用ブラシ４３が回動に伴ってこの回動検出用パターンＰＯＳ１〜ＰＯＳ１２を摺擦することで、回動操作部材３１の回動位置を検知できるようになっている。なお、この位置検出用パターンＰＯＳ１〜ＰＯＳ１２は、こういったブラシ４３で検出する形式のものでなく、例えば位置検出用パターンを発光素子からの光で照射し、受光素子で回動位置を検出するようにしたり、パターンを透過型とし、発光素子からの光が遮られたか否かを受光素子で検出することで、回動位置を検出するような形式のものでも良いことは勿論である。
【００２６】
さらに前記回動位置検出に替えて、回動操作部材３１の回動量や回動角度をパルス数で検出するようなものでも良い。すなわち、前記回動検出用パターンＰＯＳ１〜ＰＯＳ１２、前記受光素子、若しくは前記発光素子を用いて、前記回動操作部材３１が基準位置からどの程度回動したのか、１周回動したのか、１．５周回動したのかその回動量を検出したり、回動操作部材３１に設けた回動検出用パターンＰＯＳ１〜ＰＯＳ１２を用い、そのパターンを検出した回数である回動パルスを検出したり、回動操作部材３１の任意の位置からの角度で検出するようにしても良い。
【００２７】
そして変倍用レンズ３２、３３は、この図４（Ｅ）にＯＦＦと記された４４の位置のときに図４（Ａ）のように収納された状態であり、ほぼ６０度回動した図４（Ｂ）のＰＯＳ４の４５の位置で広角（ＷＩＤＥ）端、そこからさらに約６０度回動した図４（Ｃ）のＰＯＳ８の４６の位置で望遠（ＴＥＬＥ）端となる。そしてその望遠端４６（ＰＯＳ８）からさらに約６０度回動した４７（ＰＯＳ１２、図４（Ｄ））までは、変倍用レンズ３２、３３の移動は停止されてこの間は光学ズームではなく、それぞれのパターンＰＯＳ９〜ＰＯＳ１１の位置に応じ、撮像画像の所定部分を電子的に拡大する電子ズームの倍率制御のための信号として用いられる。
【００２８】
そしてこの回動検出は、例えば図６（Ａ）に示したように、各回動検出用パターンＰＯＳ１〜ＰＯＳ１２を、プルアップ抵抗Ｒ１〜Ｒ１２を介して図５に示した制御ＣＰＵ５７のＩ／Ｏポートに接続し、選択された回動検出用パターンが接地（アース）されることによって制御ＣＰＵ５７のＩ／ＯポートにＬ（０）信号を、他のポートにＨ（１）信号を送るようにしたり、図６（Ｂ）に示したように、各回動検出用パターンＰＯＳ１〜ＰＯＳ１２を抵抗Ｒ１〜Ｒ１２を介して接続し、選択された回動検出用パターンにより、図５に示した制御ＣＰＵ５７のＩ／Ｏポートに送られる電圧が変化して、それによってブラシ位置を認識できるようにするなどしておこなう。なお、この実施例説明では、パターンを１２としたが、この数は適宜変更できることは自明であり、また、ＯＦＦ位置から広角端まで、広角端から望遠端まで、望遠端から最後の回動検出用パターンまでそれぞれ６０度ずつとしたが、これもこの角度に限られないことは自明である。
【００２９】
このように構成した本発明になる撮像装置３を備えた携帯端末の動作を、図５のブロック図に基づいて説明する。まず、回動操作部材３１を回動させて図４（Ｅ）のＯＦＦ位置４４からブラシ４３をＰＯＳ１の位置に位置させることで、撮像装置３のスイッチが入って撮影動作の準備が行われる。そして、携帯端末の操作者によってモード切替スイッチ５９がカメラモードにされ、回動操作部材３１が回動されて、図４（Ｂ）のようなＰＯＳ４の広角（ＷＩＤＥ）端４５の位置まで来ると撮影準備が完了し、撮影光学系３０を通過して撮像素子４２に達した光が、撮像回路５１を介して信号処理回路５２に送られて画像再生装置５６によって表示される。
【００３０】
そしてこの状態から、撮影者が回動操作部材３１を回動させて希望するズーム倍率にし、シャッター釦６０を押下する。すると、その信号が制御ＣＰＵ５７に送られて図４に４０で示したシャッターが動作し、撮影光学系３０を通過して撮像素子４２に達した光の信号が、撮像回路５１を介して信号処理回路５２に送られ、データ圧縮されて外部記録装置５５に記録される。
【００３１】
そしてこのとき、回動操作部材３１が図４（Ｅ）に示した望遠側端４６のＰＯＳ８を超えて回動されると、それが回動検出装置５８で検出され、信号が制御ＣＰＵ５７に送られる。そのため制御ＣＰＵ５７は、信号処理回路５２を介して電子ズーム回路５４に信号を送り、撮像回路５１に送られてきた撮像画像から、回動検出装置５８が検出した回動検出用パターンに対応した倍率となるよう一部を取りだし、その画像に対してデータ処理を行って外部記憶装置５５に記憶する。
【００３２】
このような状態から撮影者が、図５のモード切替スイッチ５９を「再生モード」に切り替えると、制御ＣＰＵ５７は信号処理回路５２を介して外部記憶装置５５から記憶されている画像を読み出し、画像再生装置５６で表示装置４に表示させる。そのため撮影者は、撮影した画像を表示装置４に表示させて見ることができる。
【００３３】
以上が本発明になる撮像装置の第１実施例であるが、以上の説明では、電子ズームを望遠端からのみ行う場合の構成について説明したが、この電子ズームを光学ズームの途中で行うようにしても良い。この場合のカム溝の一例を示したのが図７である。
【００３４】
この図７に於いて、７０〜７８は図４（Ｆ）の場合と同様回動操作部材３１の回動位置を表し、カム溝７９、８０は、この図からも明らかなように７２と７３の間、７４と７５の間、７６と７８の間はそれぞれ変倍用レンズ３２、３３を光軸方向へ移動させず、回動のみが行われるようにされ、それによってブラシ４３（または前記したように発光素子、または受光素子など）が回動するようになっている。また、基板４１上に設けられる回動検出用パターンは、これに対応して位置情報が細かく得られるよう数を増やすと共にそれに伴い、図７に示したカム溝における７０の位置から７８の位置までの長さを、図４（Ｆ）に示した４４から４７までの長さより長く構成し、例えば回動操作部材３１における１周分の長さとしても良く、図４（Ｆ）の場合と同様、１８０度いないに収まるようにしても、また、任意角度にしても良い。
【００３５】
そして、変倍用レンズ３２、３３を光軸方向へ移動させない７２と７３の間、７４と７５の間、７６と７８の間は、回動検出用パターンにより検出されたブラシの位置に対応させ、電子ズームを行う。このようにすると、光学ズームの間に電子ズームを行わせることができ、光学ズームが連続的ではなく、１倍、２倍と段階的なものであり、さらにこの１倍から２倍へ段階的に倍率を上げるとき、その中間に於いては焦点が合わないような光学系の場合、電子ズームによる中間倍率が実現できる。なお、この電子ズームを連続的なものとする場合は、ズーム範囲を小さくして拡大効果を小さなものとして光学ズームとの連絡性を良くしたり、逆にズーム範囲を大きくして拡大率を大きくするなど、種々の方法を取ることができる。また逆に、この範囲で電子ズームの最大点までズームさせ、終点でもとの倍率に戻して光学ズームとの連続性を維持するなどの方法を取っても良い。
【００３６】
このように本発明になる撮像装置３を備えた携帯端末１は、撮像装置３における撮影光学系３０内の変倍光学系３２、３３の光軸を軸とし、装置筐体２から一部が露出した回動操作部材３１による回動操作によって変倍光学系３２、３３を光軸方向に移動させて撮影倍率を変更するズーム機構と、回動操作部材３１の回動位置を検知する検知手段５８とを備え、回動操作部材３１の回動操作を、光学ズームと電子的ズームの倍率制御のための信号として用いることにより、変倍のための特別な操作釦を用意することなく光学ズームと電子ズームを実現することができる。そのため、携帯端末側に操作釦用のスペースを必要とせず、かつ、ズームの操作も簡単におこなえるから、携帯端末を小型に、安価に構成できる撮像装置を提供することができる。
【００３７】
また、撮像装置３を携帯端末筐体２の側面近傍に設けたことで、回動操作部材３１を表示装置４の画面を見ながら容易に回動させることができる。更に好ましくは、装置筐体２の側面上側に撮像装置３の回動操作部材３１の一部を露出させることにより、通常ユーザは、端末を把持する際に親指が装置筐体２側面の上側の位置に来るため、回動操作部材３１を操作し易くなる。
【産業上の利用可能性】
【００３８】
本発明になる撮像装置は、操作釦類を増やすことなく光学ズームと電子ズームを実現することができ、この撮像装置を備えた携帯端末は、スペースを有効利用できると共にズームの操作も簡単におこなえるから、携帯端末を小型に、安価に構成できる撮像装置を提供することができる。
【図面の簡単な説明】
【００３９】
【図１】本発明の撮像装置を、携帯端末としての携帯電話に応用した一例の概略外観図である。
【図２】撮影光学系の光軸を軸として携帯端末の筐体から一部を露出した回動操作部材を示した図である。
【図３】ズームレンズを用いた撮影光学系を繰り出した状態の外観図である。
【図４】回動操作部材の回動によるズームレンズの変倍光学系の光軸方向移動を説明するための図で、（Ａ）〜（Ｄ）は変倍光学系の移動状況を示した図、（Ｅ）は回動操作部材に設けた回転位置検出のための機構の説明図、（Ｆ）は変倍用カム溝とそのカム溝による変倍倍率を説明するための図である。
【図５】本発明になる携帯端末における撮像装置と周辺の制御回路ブロック図である。
【図６】回転位置検出のための回路の一例で、（Ａ）は位置を示す信号が「１」、「０」として出力される場合、（Ｂ）は位置を示す信号が電圧として出力される場合である。
【図７】ズーム用カム溝の他の実施例である。
【符号の説明】
【００４０】
３  撮像装置
３０  撮影光学系（レンズ）
３１  回動操作部材（ダイヤル）
３２、３３  変倍用レンズ（光学系）
３４、３５  カム溝
３６、３７  鏡筒
３８、３９  カムピン
４０  シャッター
４１  基板
４２  撮像素子
４３  接触用ブラシ
４４  ＯＦＦ位置
４５  広角（ＷＩＤＥ）端
４６  望遠（ＴＥＬＥ）端
【図１】
2005107290.tif 000003
【図２】
2005107290.tif 000004
【図３】
2005107290.tif 000005
【図４】
2005107290.tif 000006
【図５】
2005107290.tif 000007
【図６】
2005107290.tif 000008
【図７】
2005107290.tif 000009